Podtech/llm-jp-corpus-v4-ja_patent huggingface dataset:
(57)【要約】      （修正有）【課題】コンピュータのキーボードを覆い、使用する時は簡単に開くデザインと機能性に優れたキーボードカバーを提供する。【解決手段】背面側長辺部にキーボード１０の高さに応じた上方湾曲部とカバーシート２用ストッパ１−４を設けた。硬質の基台とキーボードの表面を覆うカバーシートとからなる。キーボードの底面部にカバーシートを収納するための空間形成用の脚となる下方に曲折した片１−３を形成する。また、カバーシートの長辺左右両側には、収縮力ある引き込み部材輪ゴム２−２を取りつける。その輪ゴムを基台の正面側長辺部両端付近の溝１−７に接続することによりカバーシートを収納空間に引き込む。【選択図】図４
0003188424.tif 000002
【実用新案登録請求の範囲】
【請求項１】
硬質の基台と、キーボードのカバーシートとからなるキーボードカバーであって、
上記基台は、背面側長辺部がキーボードの高さに応じて上方に湾曲した湾曲部を形成し、当該背面側長辺部の上部両端にカバーシート用ストッパを設け、且つ湾曲部の外側に摩擦を軽減するテープを貼り付け、
上記基台の左右側短辺部は、上記カバーシート収納空間形成用の脚となる下方に曲折した片を形成し、
上記基台の正面側長辺部は、上方に曲折した立ち上がり片を形成し、上記立ち上がり片の両端を小さく外側へ直角に突き出し、上記カバーシートを閉じた時に、操作棒を引っ掛けるための係止片を形成し、
上記カバーシートは、その一長辺に操作棒が、上記カバーシート用ストッパに係かる程度に上記カバーシートより長く突き出して形成し、
上記カバーシートの他方の長辺に細く長い補強棒が付され、且つ当該長辺の左右両側に収縮力ある引き込み部材が付いたことを特徴とするキーボードカバー。
【請求項２】
上記引き込み部材の接続位置は、一方が上記基台の正面側長辺部両端付近の取り付け溝の位置であるとともに、他方が上記カバーシートの左右両端から引き込み部材長さより少し内側で、
上記カバーシートが閉じたときに、収縮力が残る状態となる位置であるる請求項１記載のキーボードカバー。
【請求項３】
上記ストッパは、当該背面側長辺部の上部両端と一体的に形成された細長の折り返し片である請求項１又は請求項２に記載のキーボードカバー
【考案の詳細な説明】
【技術分野】
【０００１】
本考案は、コンピュータのキーボードカバーに関するものであり、キーボードの底面側にキーボード表面を覆うカバーシートを収納する空間を作り、
上記キーボード使用時は、外したカバーシートを収縮力ある引き込み部材により当該収納空間に収納するキーボードカバーとして開発された。
【先行技術文献】
【特許文献】
【０００２】
【特許文献１】実用新案登録第3158784号登録実用新案公報
【考案の概要】
【考案が解決しようとする課題】
【０００３】
本考案の主目的は、デザインと機能性に優れた現実の使用を目的とするキーボードカバーである。
【課題を解決するための手段】
【０００４】
本考案のキーボードカバーは、硬質の基台と、キーボードのカバーシートとからなるキーボードカバーである。
上記基台は、背面側長辺部がキーボードの高さに応じて上方に湾曲した湾曲部を形成し、当該背面側長辺部の上部両端にカバーシート用ストッパを設け、且つ湾曲部の外側に摩擦を軽減するテープを貼り付け、
上記基台の左右側短辺部は、上記カバーシート収納空間形成用の脚となる、下方に曲折した片を形成し、
上記基台の正面側長辺部は、上方に曲折した立ち上がり片を形成し、上記立ち上がり片の両端を小さく外側へ直角に突き出し、上記カバーシートを閉じた時に、操作棒を引っ掛ける係止片を形成し、
上記カバーシートは、その一方長辺に操作棒が、上記カバーシート用ストッパに係かる程度に上記カバーシートより長く突き出して形成し、
上記カバーシートの他方長辺に細く長い補強棒が付され、且つ当該長辺の左右両側に収縮力ある引き込み部材が付いたことを特徴とするキーボードカバーである。
【図面の簡単な説明】
【０００５】
【図１】本考案の基台の斜視図である
【図２】本考案のカバーシートの斜視図である
【図３】本考案のカバーシートを開いた状態の斜視図である
【図４】本考案のカバーシートを閉じている途中の斜視図である
【図５】本考案のカバーシートを閉じた状態の斜視図である
【実施例】
【０００６】
図１は、本考案の基台の斜視図である。図に示されるように、上記硬質の基台１は、背面側長辺部がキーボード１０の高さに応じて上方に湾曲した湾曲部を形成し、当該背面側長辺部の上部両端にカバーシート用ストッパ１−４を設け、
且つ湾曲部の外側に摩擦を軽減するテープ１−５を貼り付け、上記基台１の左右側短辺部は、上記カバーシート２収納空間形成用の脚となる下方に曲折した片１−３を形成し、
上記基台１の正面側長辺部は、上方に曲折した立ち上がり片１−２を形成し、上記立ち上がり片１−２の両端を小さく外側へ直角に突き出し、上記カバーシート２を閉じた時に、操作棒２−１を引っ掛けるための係止片１−６からなる。
【０００７】
図２は、本考案のカバーシート２の斜視図である。図に示されるように、上記カバーシート２は、その一方の長辺に操作棒２−１が、上記カバーシート用ストッパ１−４に係る程度に上記カバーシート２より長く突き出して形成し、
上記カバーシート２の他方の長辺に細く長い補強棒２−４が付き、且つ左右両端から引き込み部材輪ゴム２−２の長さより少し内側で、カバシート２が閉じたときに,収縮力が残る状態となる位置で接続されている。
【０００８】
図３は、本考案のカバーシート２を開いた状態の斜視図である。本考案に係るキーボードカバーは、硬質の基台1とキーボード１０のカバーシート２からなる,
引き込み部材輪ゴム２−２の接続位置は、一方が上記基台１の正面側長辺部両側付近の位置にある取り付け溝１−７であるとともに、
他方が上記カバーシート２の左右両側から引き込み部材輪ゴム２−２の長さより少し内側で、上記カバーシート２が閉じたときに収縮力が残る状態となる位置で接続されている。
【０００９】
図４は、本考案のカバーシート２を閉じている途中の斜視図である。本考案に係るキーボードカバーは、硬質の基台１とキーボード１０のカバーシート２からなる、上記カバーシート２を閉じている途中の状態である。
【００１０】
図５は、本考案のカバーシート２を閉じた状態の斜視図である。硬質の基台１正面側長辺部は、上方に曲折した立ち上がり片１−２を形成し、上記立ち上がり片１−２の両端を小さく外側へ直角に突き出した係止片１−６部分に、
上記カバーシート２の、その一方の長辺の操作棒２−１両端付近にある係止片用切欠部分２−３を引っ掛かけた状態である。
【符号の説明】
【００１１】
１・・・基台
１−２・・・立ち上がり片
１−３・・・収納空間形成用の脚となる下方に曲折した片
１−４・・・カバーシート用ストッパ
１−５・・・摩擦を軽減するテープ
１−６・・・係止片
１−７・・・取り付け溝
２・・・カバーシート
２−１・・・操作棒
２−２・・・引き込み部材輪ゴム
２−３・・・係止片用切欠
２−４・・・補強棒
１０・・・キーボード
【図１】
0003188424.tif 000003
【図２】
0003188424.tif 000004
【図３】
0003188424.tif 000005
【図４】
0003188424.tif 000006
【図５】
0003188424.tif 000007
(57)【要約】      （修正有）【課題】多様なサイズ、形状のボタン電池を装着可能とすることで、公称電圧が同じであれば自由に容量選択を可能とし、ボタン電池の極を逆装着した場合でも接続される回路への電位の逆印加を防止することが出来る、小型なボタン電池ホルダーを提供する。【解決手段】正極側面２は正極磁石４に吸着され、負極面３は負極磁石５に吸着されて保持される。磁石は表面がＮｉなどの金属メッキ処理されているため導電性を有するため、電池の正極電位は正極磁石４を通して正極リード線７で取り出され、負極電位は負極磁石５を通して負極リード線８で取り出される。６は磁石を配置する非導電性樹脂などのベースである。ボタン電池は正極磁石４、ならびに負極磁石５により水平方向、水平方向に吸着されるため、電池のサイズ、形状には殆ど制約されることは無く磁石により吸着されるため振動などによる接触不良の可能性も極めて低い。【選択図】図１
0003188425.tif 000002
【実用新案登録請求の範囲】
【請求項１】
磁石に吸着するボタン電池を収納する電池ケースに関して、表面に導電処理がなされた第一の磁石、ならびに第二の磁石を配置し、ボタン電池の負極面を第一の磁石で吸着し、正極側面を第二の磁石で吸着するとともに、それぞれの磁石の導電部から電位を取り出すことにより、ボタン電池のサイズ、形状に左右されずに適用することが可能、かつボタン電池の正極、負極の装着方向を間違えた場合に接続される回路への電位の逆印加を防ぐことが出来る、小型なボタン電池ホルダー。
【請求項２】
それぞれ導電材を挟んでボタン電池を吸着する磁石を配置し、ボタン電池の負極面を導電材を挟んで第一の磁石で吸着し、正極側面を導電材を挟んで第二の磁石で吸着し、それぞれの磁石の導電材から電位を取り出す、請求項１に記載されるボタン電池ホルダー。
【考案の詳細な説明】
【技術分野】
【０００１】小型機器に活用されているボタン電池は多種多様に販売されているが、例え公称電圧が同じで有っても容量によりサイズ、形状が異なるため、それぞれの電池に適合した電池ホルダーでないと任意容量の電池が使用できない。
【背景技術】
【０００２】ボタン電池を装着するホルダーに関しては、金属バネを電池の正極、負極に押し付けて電位を取り出す構造が一般的であるため、ホルダーに適合するボタン電池しか使用できず、電圧が同じであっても容量を任意に選ぶことが出来ないとともに、バネ材の変形などによる接触不良が発生し易い。
【考案が解決しようとする課題】
多様なサイズ、形状のボタン電池を装着可能とすることにより、公称電圧が同じであれば自由に容量選択を可能とし、ボタン電池の極を逆装着した場合でも接続される回路への電位の逆印加を防ぐことが出来る、小型なボタン電池ホルダーを提供する。
【課題を解決するための手段】
【０００３】表面に導電処理がなされた第一の磁石、ならびに第二の磁石を配置し、ボタン電池の負極面を第一の磁石で吸着し、正極側面を第二の磁石で吸着するとともに、それぞれの磁石の導電部から電位を取り出す
【考案の効果】
【０００４】公称電圧が同じであればボタン電池のサイズ、形状に左右されずに使用することが可能、かつ電池の装着方向を間違えた場合に接続される回路への電位の逆印加を防ぐ、小型なボタン電池ホルダーが実現される。
【考案を実施するための形態】
【０００５】ボタン電池は図２に示すごとく、正極面１，正極側面２、負極面３で構成され、負局面３は正極側面とは絶縁されて内側でＬだけ突出しているため、正極側面に磁石を吸着させても磁石が負極面に触れることは無い。また、一般的にボタン電池の極キャップは鉄などの磁性体で形成されているため磁石に吸着する。図１に本考案によるボタン電池ホルダーの実施例を示す。正極側面２は正極磁石４に吸着され、負極面３は負極磁石５に吸着されて保持される。磁石は表面がＮｉなどの金属メッキ処理されているため導電性を有するため、電池の正極電位は正極磁石４を通して正極リード線７で取り出され、負極電位は負極磁石５を通して負極リード線８で取り出される。６は磁石を配置する非導電性樹脂などのベースである。ボタン電池は正極磁石４、ならびに負極磁石５により水平方向、水平方向に吸着されるため、電池のサイズ、形状には殆ど制約されることは無く磁石により吸着されるため振動などによる接触不良の可能性も極めて低い。
【０００６】ボタン電池を裏表逆に装着した場合は、正極磁石４には正極側面２が、負極磁石５には正極面１が接触するため、リード線には何れも正極電位が現れるため接続される回路への電位の逆印加は防がれる。図３は電池サイズが小さい場合の装着状況を示しており、電池のサイズ、形状が変わっても磁石による吸着を採用しているため適応性の高いことが解る。このように、本ホルダーは多様なサイズ、形状のボタン電池の着脱が可能であるため、公称電圧が同じであれば自由に容量選択を可能とし、万一ボタン電池を逆装着した場合でも接続される回路への電位の逆印加を防ぐことが出来る、小型なボタン電池ホルダーである。
【実施例】
【０００７】磁石はΦ３×２ｍｍ、表面にＮｉメッキ処理を施した円柱型ネオジゥム磁石を採用、ベースはＰＰ樹脂で構成し、ＣＲ２０３２電池を対象としてベースの平面サイズを２０×２３ｍｍとしたが、ボタン電池が軽量なため磁石は極めて小型で良い。例えばＣＲ２０タイプにおいても２０１２、２０１６，２０２５，２０３２などと多種有り、径はΦ２０で同じでも高さが異なり同じ３Ｖでも容量は５５ｍＡｈから２１０ｍＡｈと大きく相違する。従って電池ホルダーが電池サイズフリーであれば容量を選ぶことが可能となり利用者の選択肢は大きく広がる。図４は表面が導電処理されていない磁石を使用する場合に、磁石と電池との間に正極導電材９，負極導電材１０を挟む構造を示しており、電池の電位は導電材を通してリード線７，８で取り出される。導電材としては鉄、銅、燐青銅、ステンレスなど導電性を有するものであれば良く、磁石に関してもネオジゥムに限定されずフェライトでも良く、ベースも非導電性素材であれば良いなど、使用する素材、各種ディメンジョンなどに関しては、本考案の趣旨を逸脱しない範囲であれば種々変形実施が可能である。
【図面の簡単な説明】
【０００８】
【図１】本考案に基づくボタン電池ホルダーの実施例を示す概念図
【図２】一般的なボタン電池の構成図
【図３】小さなボタン電池を装着した場合の概念図
【図４】非導電磁石に導電材を挟む構造を示す概念図
【符号の説明】１  ボタン電池正極面      ５  負極磁石          ９  正極導電材
２  ボタン電池正極側面    ６  ベース          １０  負極導電材
３  ボタン電池負局面      ７  正極リード線      Ｌ  負極面の突起サイズ
４  正極磁石              ８  負極リード線
【図１】
0003188425.tif 000003
【図２】
0003188425.tif 000004
【図３】
0003188425.tif 000005
【図４】
0003188425.tif 000006
(57)【要約】      （修正有）【課題】草刈作業中に刈草が刈払機の固定部に絡み付くのを防ぐ刈草の絡み付防止器を提供する。【解決手段】円盤状の底面に円筒形の立ち上がり部分を設け、その上部に逆円錐状に上方に開口した円筒部２を取り付けた器具を作り、更にその上縁に複数の刃３を形成し、底面に刈り払機に装着するための穴４を開けたことを特徴とする。【選択図】図２
0003188421.tif 000002
【実用新案登録請求の範囲】
【請求項１】
円盤状の底面に円筒形の立ち上がり部分を設け、その上部に逆円錐状に上方に開口した円筒を取り付けた器具を作り、更にその上縁に複数の刃を形成し、底面に刈り払機に装着するための穴を開けたことを特徴とする刈草の絡み付き防止器。
【考案の詳細な説明】
【技術分野】
【０００１】      刈草の絡み付き防止器に関する。
【背景技術】
【０００２】      刈払機による草刈り作業中の刈草の絡み付きは、通常極めて頻繁に発生し、作業の中断や危険を伴う除去作業を余儀なくされるため、作業能率の低下が著しく、その解決は大きな課題となっている。この目的で考案された多くの手段は、基本的に、１、ギヤケースの周囲に刈刃とともに回転するガードなどを設け、ギヤケースやポール等の固定部への刈刃の接触を防ぐ。２、刈草を切断して絡み付きを防止する。３、刈刃の回転を利用するなどして風を起こし、風圧によって吹き飛ばす、などの類型に属すると思料され、更にそのいくつかを組み合わせた考案も見受けられる。本考案は１と２を組み合わせたものに属する。なお、下記［特許文献１］に記載された手段が提案されている。
【先行技術文献】
【特許文献】
【０００３】
【特許文献１】登録実用新案公報第３０２９８９４号
【考案の概要】
【考案が解決しようとする課題】
【０００４】      草刈作業中に刈草が刈払機の固定部に絡み付くのを防ぐものである。
【課題を解決するための手段】
【０００５】      本考案は、円盤状の底面に円筒形の立ち上がり部分を設け、その上部に逆円錐状に上方に開口した円筒を取り付けた器具を作り、更にその上縁に複数の刃を形成し、底面に刈り払機に装着するための穴を開けたことを特徴とする刈草の絡み付き防止器である。
円盤状の底面に円筒形の立ち上り部分を設け、その上部に逆円錐状に上方に開口した円筒を取り付けた器具を作り、更にその上縁に複数の刃を形成する。底部に刈払機に装着するための穴をあける。
以上のように作られた器具を刈刃の上面に装着する事によって、刈草の絡み付きを防止する。
【考案の効果】
【０００６】      刈払機で草を刈る場合は、通常刈刃を右から左に振って刈っていくが、この場合、刈刃の左前方で根元を切られた刈草が右側に倒れ、刈刃の回転につれて回転軸の後方を通って右側に移動しようとするが、固定部に遮られてその左側に滞留したり、刈刃とともに連続して回転する現象が起きる。これがトリガーとなって絡み付きが発生する場合が多く、左に振り切った刈刃を振り戻す際にこの滞留した刈草が固定部から離脱した場合は絡み付きは起きない。また、刈刃を振り戻す際に刈刃が前方の草に当たって巻き込むことが引き金になる場合もある。本考案の器具は、刈られた草を傾斜部の外側面によって下方に押し下げ、刈刃との間にまとめて押しつけると同時に、下部の立ち上がり部が刈刃との間に刈草が挟み込まれるのをブロックして回転方向に誘導し、最終的に後ろ右方向に放出する。カップの上縁を超える高さから絡みつこうとする草は、上縁の刃によって切断され、絡み付くことがない。また、器具の傾斜部は固定部下面の突起物を覆っているので引っ掛かるものがなく、移動は円滑であり、仮に刈草の量が多いなどのために滞留する事があっても、短時間の空転によって振り払うことができる。
【図面の簡単な説明】
【０００７】
【図１】刈草の絡み付き防止器の断面図
【図２】刈草の絡み付き防止器の斜視図
【図３】刈草の絡み付き防止器の実施例を示す断面図
【考案を実施するための形態】
【０００８】      本考案は、円盤状の底面に円筒形の立ち上がり部分を設け、その上部に逆円錐状に上方に開口した円筒を取り付けた器具を作り、更にその上縁に複数の刃を形成し、底面に刈り払機に装着するための穴を開けたことを特徴とする刈草の絡み付き防止器である。
その実施の形態を図１から図３に示した。本考案の絡み付き防止器は、刈刃の上面に取り付けるために、可能な限りの薄さが求められるが、必要な強度を確保するためには、ステンレス等の高強度の金属で作るのが望ましい。上縁の刃の数は、必ずしも全体にギザギザの刃をつける必要はなく、２枚から６枚程度で十分な効果を得ることができる。
【産業上の利用可能性】
【０００９】      刈草の絡みつきによる作業の中断は、著しく作業の効率を低下させ、作業者の負担を増大させる。本考案は、つたや丈の長い草、水に濡れた柔らかい草など、あらゆる状態の草について絡み付きを防止するので、作業効率の向上と作業者の安全及び負担軽減に寄与するものである。また、市販され、普及している刈払機及び刈刃に何ら変更を加えることなく、刈刃の上面に取り付けるだけで所期の効果が得られるので、取り扱いが容易で安全であると同時に、小型且つ構造が簡単であるところから、低価格での供給が可能であり、普及の促進にとって有利である。
【符号の説明】
【００１０】１、傾斜部      ２、円筒部        ３、刃      ４、取り付け穴
５、刈刃        ６、ギヤケース    ７、刈刃受け金具
８、刈刃抑え金具      ９、ポール
【図１】
0003188421.tif 000003
【図２】
0003188421.tif 000004
【図３】
0003188421.tif 000005
(57)【要約】      （修正有）【課題】簡単小型化にして所望の体の部位にマイクロ波を照射して温熱療法ができる装置を提供する。【解決手段】電源トランス１７から電源が供給され、マイクロ電磁波を発生させるマグネトロン１６を備え、可変開口調整ホーン部１１、１２からなる電磁波ホーン部１を一体構造とした構成になっている。摘み１３を用いて、可変開口調整ホーン部１１、１２を可動ギヤ等の歯車で縦方向と横方向に変化させ、回転軸１５ａ、１５ｂを支点にして回動させることにより、被生体の体質に合わせ開口部Ａ〜Ａ´を決めることができる構造になっている。開口部前面１８の全面枠に絶縁体材でカバーすることで被生体に対する不安感をなくす構成になっている。【選択図】図１
0003188422.tif 000002
【実用新案登録請求の範囲】
【請求項１】
マグネトロンと電磁波を放射する電磁波ホーンとを一体構成にし、前記電磁波ホーンの開口部を上下左右方向に調整して、被生体の部位に合わせたマイクロ波を照射することを特徴とするマイクロ電磁波治療器。
【考案の詳細な説明】
【技術分野】
【０００１】  本考案は、マイクロ電磁波治療器に関し、詳しくは、マイクロ波を利用して被生体にマイクロ波を照射することによる温熱効果で血流を促進させることで肩こり等の症状を緩和させ、或いは根治させる治療器に関する。
【背景技術】
【０００２】  従来のマイクロ電磁波治療器は、マイクロ電磁波を同軸ケーブルや電線、或いは空洞ダクト等の電路を通じて電磁波エネルギーを放射するもので、装置も操作も大がかりな構造になっているものが周知である。
【先行技術文献】
【特許文献】
【０００３】
【特許文献１】特開２００４−８９２６１号公報
【考案の概要】
【考案が解決しようとする課題】
【０００４】  しかしながら、従来技術で説明したマイクロ電磁波治療器においては、装置自体が大がかりなものになり簡単に所望の体の部位に照射することが難しいという問題がある。【０００５】  従って、簡単小型化にして所望の体の部位にマイクロ波を照射して温熱療法ができる装置に解決しなければならない課題を有する。
【課題を解決するための手段】
【０００６】  上記課題を解決するために、本考案に係るマイクロ電磁波治療器は、次に示す構成にすることである。【０００７】（１）マイクロ電磁波治療器は、マグネトロンと電磁波を放射する電磁波ホーンとを一体構成にし、前記電磁波ホーンの開口部を上下左右方向に調整して、被生体の部位に合わせたマイクロ波を照射することである。
【考案の効果】
【０００８】  以上、説明したように、本考案に係るマイクロ電磁波治療器は、マグネトロンと電磁波を放射する電磁波ホーンとを一体構成にし、電磁波ホーンの開口部を上下左右方向に調整して、被生体の部位に合わせたマイクロ波を照射するようにしたことで、被生体の部位に合わせたマイクロ波の照射ができるという効果がある。
【図面の簡単な説明】
【０００９】
【図１】  本考案のマイクロ電磁波治療器を略示的に示した側面図である。
【図２】  本考案のマイクロ電磁波治療器を略示的に示した上面図である。
【図３】  本考案のマイクロ電磁波治療器を略示的に示した側面図及びスイッチ関係の配置を示した説明図である。
【図４】  本考案のマイクロ電磁波治療器の前面部分を示した説明図である。
【図５】  本考案のマイクロ電磁波治療器を用いて被生体にマイクロ電磁波を照射したときの様子を示す説明図である。
【考案を実施するための形態】
【００１０】  次に、本考案に係るマイクロ電磁波治療器の実施例について、図面を参照して説明する。
【００１１】  本考案に係るマイクロ電磁波治療器は、通常４ｋＶＫの高圧が必要であり、マグネトロンと電磁波放射とを一体構成した可変開口調整放射部を有するマイクロ電磁波発生器で、放射器の電磁ホーン部分は部分開口部を可動的に具備し、機械的なハンドル等で上下左右方向に調整する構造になっている。
一般的に、従来のマイクロ電磁波発生器は、発生したマイクロ波を同軸ケーブル電線や空洞ダクトを通じ、電磁波エネルギーを放射していたがロスが非常に多い。また、治療者の操作も大掛かりで大変危険な状態でもあった。さらに、開口部も全てが固定式であるから、エネルギー放射面も一定で、変更するには別々の機器が必要であった。
【００１２】  本考案のマイクロ電磁波治療器は、一体構造の可変開口調整ホーン付きのマイクロ電磁波発生器であるから、安全で、かつ、外観上も小型にできるというものである。
【００１３】  図１乃至図４に示すように、電源トランス１７から電源が供給され、マイクロ電磁波を発生させるマグネトロン１６を備え、可変開口調整ホーン部１１、１２からなる電磁波ホーン部１を一体構造とした構成になっている。
摘み１３を用いて、可変開口調整ホーン部１１、１２を可動ギヤ等の歯車で縦方向と横方向に変化させ、回転軸１５ａ、１５ｂを支点にして回動させることにより、被生体の体質に合わせ開口部（Ａ〜Ａ´・Ｂ〜Ｂ´）を決めることができる構造になっている。
開口部前面１８の全面枠に絶縁体材２６でカバーすることで被生体に対する不安感をなくす構成になっている。
【００１４】  ここで、可動方式で容易に開口部の調整を行うことは、マイクロ電磁波の空間照射電気インピーダンスの整合が特に重要であるからであり、被生体の体質にも合わせた電磁気学的インピーダンスも相等しくすることが最大条件である。温熱治療効果は下記の条件を揃えたときに最良になる。
マイクロ電磁波発生器（内部インピーダンス）＝
ホーンの放射電気インピーダンス＋被生体の内部抵抗
また、開口部Ａ〜Ａ´・Ｂ〜Ｂ´の電磁波放射口が極端に狭いと、マイクロ電磁波が発振停止を起こし、不安定な発振作用となる。
【００１５】  又、電源の操作はスタートスイッチ２２を投入し、電源の表示ランプ２１が点灯する。タイマースイッチ２３によってセットされた時間だけ駆動する。緊急時は停止スイッチ２４を押すことで電源は切断される。
【００１６】  このような構成のマイクロ電磁波治療器は、図５に示すように、マグネトロン１６と電磁波ホーン部１を一体構造にした装置で、開口部前面を被生体に向けて、マイクロ電磁波（１．０〜５ＧＨｚ）を放射する。電源は家庭用コンセントから電源入力３を通じて挿入する。ここで、電磁波の空間放射電気インピーダンスの整合が特に重要で、被生体の体質にも合わせた電磁気学的インピーダンスも相等しくすることが最大条件であるから、電磁波放射口チェックはホーン状に揃えたときが最良であり、上記示した式の関係にすることが必要である。
【符号の説明】
【００１７】１        電磁波ホーン部
１１      可変開口調整ホーン部
１２      可変開口調整ホーン部
１３      摘み
１５ａ    回転軸
１５ｂ    回転軸
１６      マグネトロン
１７      電源トランス
１８      開口部前面
２１      表示ランプ
２２      スタートスイッチ
２３      タイマースイッチ
２４      停止スイッチ
２６      絶縁体材
【図１】
0003188422.tif 000003
【図２】
0003188422.tif 000004
【図３】
0003188422.tif 000005
【図４】
0003188422.tif 000006
【図５】
0003188422.tif 000007
(57)【要約】      （修正有）【課題】開け易いような加工を施して裂かなくても、パック容器の口を簡単かつ確実に開けることのできる紙パック容器注ぎ口オープン具を提供する。【解決手段】紙パック容器の注ぎ口オープン具１１は取っ手１０の先がくの字に曲げられた錐９を有し、その錐は、安全確保のためスプリング１３で被われている。紙パック容器の注ぎ口の糊付け部の境に錐の先を押し込み、手前に引っ張ることにより、注ぎ口の糊付部をはがすことができる。【選択図】図３
0003188410.tif 000002
【実用新案登録請求の範囲】
【請求項１】
取っ手と、この取っ手の先端に取り付けられた、先端が鋭っているくの字に曲げられた錐と、この錐の外側に被せられたスプリングと、を備え、紙パック容器の注ぎ口の糊付け部の境に錐の先を押し込み、手前に引っ張ることにより、注ぎ口の糊付部をはがすことができるように構成されていることを特徴とする紙パック容器注ぎ口オープン具。
【請求項２】
前記錐は、安全性確保のためスプリングで覆われているが、紙パック容器の注ぎ口の糊付け部の境に先を押し込むことにより、このスプリングは、錐の付け根に押しつけられて縮められることを特徴とする請求項１記載の紙パック容器注ぎ口オープン具。
【考案の詳細な説明】
【技術分野】
【０００１】
本考案は、くの字型の錐とスプリングから構成された紙パック容器の注ぎ口を開くためのオープン具である。
【背景技術】
【０００２】
紙パックは、老若男女を問わず、日常の食生活で使用頻度の高い容器である。しかしながら、紙パック容器は、手の力で開ける方法しかなかった。そのため特に握力の弱い高齢者や子供は紙パック容器を開けることに難儀し、開けることのできない人もいる。そこで特許文献１に記載したように紙パックの口に加工を施したものも開発されている。
【先行技術文献】
【特許文献】
【０００３】
【特許文献１】実用新案登録番号３１２１６５２号
【考案の概要】
【考案が解決しようとする課題】
【０００４】
しかしながら、特許文献１に記載されたようなパック容器の口に開け易いような加工を施すのは煩雑であり、パック容器の口の確実な密封性を低下させる。したがって本考案は、開け易いような加工を施して裂かなくても、パック容器の口を簡単かつ確実に開けることのできる紙パック容器注ぎ口オープン具を提案することを課題とする。
【課題を解決するための手段】
【０００５】
この問題を解決するための本案の紙パック容器注ぎ口オープン具は、取っ手の先にくの字に曲げられた錐が取り付けられており、その錐は安全確保のためのスプリングで覆われているのである。あるいは、取っ手と、この取っ手の先端に取り付けられた、先端が鋭っているくの字に曲げられた錐と、この錐の外側に被せられたスプリングと、を備え、紙パック容器注ぎ口の糊付け部の境に錐の先を押し込み、手前に引っ張ることにより、注ぎ口部の糊付部をはがすことができるように構成されているものである。錐の外側に被せられたスプリングは、例えば錐の先を紙パック口に差し込んだ時に、錐の付け根と紙パックの口との間で圧縮されて縮む。
【考案の効果】
【０００６】
紙パック容器注ぎ口オープン具を使えば、糊付けされた紙パック容器の注ぎ口を簡単に開封できるので、便利である。
【図面の簡単な説明】
【０００７】
【図１】紙パック容器の糊付け部の剥がし具を正面からみた図。
【図２】紙パック容器の糊付け部の剥がし具を分解した図。
【図３】本考案に係る紙パック容器注ぎ口オープン具の糊付け部の剥がし具を正面からみた図。
【図４】本考案に係る紙パック容器注ぎ口オープン具を分解した図。
【図５】本考案に係る紙パック容器の糊付け部の剥がし具を注ぎ口の外側の糊付け部に差し込んだ図。
【図６】本考案に係る紙パック容器の糊付け部の剥がし具で外側の糊付け部を剥がした図。
【図７】本考案に係る紙パック容器注ぎ口オープン具を外側の糊付けが剥がされた注ぎ口の内端の内側糊付け部分の境に差し込んだ図。
【図８】本考案に係る紙パック容器注ぎ口オープン具を注ぎ口の内側糊付け部分の境に差し込んだ紙パック容器注ぎ口オープン具を引っ張って、注ぎ口の内側糊付け部を剥がし、開口させた図。
【考案を実施するための形態】
【０００８】
本考案とともに、環状型の一部を切り取り、その短い方の直線部２に、プレート刃３が取り付けられ、長い方の直線部4は二重になっている紙パック容器の糊付け部の剥がし具１が用いられる。二重になった長い方の直線部4に、紙パック容器5の注ぎ口6とは反対側の山7をすべり込ませる。そして、注ぎ口6に短い方2のプレート刃3を差し込み、テコの要領で紙パック容器の糊付け部の剥がし具１を引き上げる。また、紙パック5の糊付け部8は、くの字に曲げられた錐9が取り付けられた取っ手１０を有する本考案の紙パック容器注ぎ口オープン具11を、糊付け部8の境に差し込み、指当て部12を人差し指の上の乗せて引きはがすことにより、糊づけ部8を、容易に開けることができる。なお。錐9の先は、危険なのでスプリング13で覆われている。
【０００９】
糊付け部の剥がし具１を引き上げると、注ぎ口6の外側の糊付けが剥がされる。次に注ぎ口6の内端で、注ぎ口6の内側同士を接着している内側糊付け部8の境に、紙パック容器注ぎ口オープン具11の錐9の先端を差し込む。紙パック容器注ぎ口オープン具11は、取っ手10の先端にくの字に曲げられた錐9を取りつけ、側方に延びる錐9の部分にスプリング13をはめてかぶせたものであり、指当て部12に人差し指をのせて、この取っ手10を握り、注ぎ口6の内側を開口方向に引っ張る。そうすると、下方に曲がっている錐9に引き剥がされて、注ぎ口6の外側14が内側15から分離し、開口が形成されることになる。
【符号の説明】
【００１０】
１  紙パック容器の糊付け部の剥がし具
２  短い方の直線部
３  プレート刃
４  長い方の直線部
６  紙パック
７  紙パックの山
８  糊付け部  
９  錐
１０  取っ手
１１  紙パック容器注ぎ口オープン具
１２  指当て部
１３  スプリング
１４  外側糊付け部
１５  内側糊付け部
【図１】
0003188410.tif 000003
【図２】
0003188410.tif 000004
【図３】
0003188410.tif 000005
【図４】
0003188410.tif 000006
【図５】
0003188410.tif 000007
【図６】
0003188410.tif 000008
【図７】
0003188410.tif 000009
【図８】
0003188410.tif 000010
(57)【要約】      （修正有）【課題】夜光反射の原理を利用し、夕暮れ時、夜間視覚視認性を高め、車両等の存在位置確認が素早く察知できる夜光反射式安全ワイパーにおいて、交通の安全と利便性に優れた夜光反射式安全ワイパーを提供する。【解決手段】夜光反射式安全ワイパーは、ワイパー２とワイパー２の外面に夜光反射デザイン部１を備える。光反射デザイン部１に、夜光反射性塗料のコーティング、反射シール、反射材のいずれかを用いてデザインを配設する。【選択図】図１
0003188406.tif 000002
【実用新案登録請求の範囲】
【請求項１】
ワイパー２とワイパー２の外面に夜光反射デザイン部１を備えた夜光反射式安全ワイパーにおいて、夜光反射デザイン部１に配する夜光反射性の塗料をコーティング・反射シール・反射材のいずれかを用いてデザインした複合体の夜光反射式安全ワイパー。
【考案の詳細な説明】
【技術分野】
【０００１】本考案は、夜光反射式安全ワイパーに関する。
【背景技術】
【０００２】従来の車両機械・乗物等への取付ワイパーは、金属素材の外面に、ゴムまたは単色でコーティングしたものが多様化してあった。
【考案の概要】
【考案が解決しようとする課題】
【０００３】しかしながら、従来の取付ワイパーは、雨滴などのガラスふき装置だけのものであった。
【課題を解決するための手段】
【０００４】本考案は、従来の取付ワイパーにおいて、形状はさまざまであるが、ワイパー２の外面に夜光蛍光性の塗料をコーティング・反射シールをテーピング・反射材で形成した複合体のものである。またその部分に溝を入れることもできる。
【考案の効果】
【０００５】本考案に係る夜光反射式安全ワイパーは、夕暮れ時、夜間において、その車両等の存在位置確認が容易にできる。またデザインによっては興味深く、美観を伴い楽しさも感じさせる。これによって作動時には、走行中でも、駐停車時においても、視覚視認性が高められ自車の存在が発信でき安全サインともなる。
そして自車を探しあてるときにも目じるしとなり、利便性が期待できる。
【図面の簡単な説明】
【０００６】
【図１】本考案に係る夜光反射式安全ワイパーの正面図である。
【図２】本考案に係る夜光反射式安全ワイパーの取付位置図である。
【考案を実施するための形態】
【０００７】図１に示すように、従来の取付ワイパーは多様であるが、ワイパー２の外面に夜光反射デザイン部１を設け、その構造をふまえ自由にデザインする。その際、基盤の材質よってコーティング・反射シール・反射材等を考慮し、調整、固着する。本考案は、以上のような構成と、これを装着することにより容易に目じるしとなり、利便性を高め、また、交通の安全対策に役立てようとするものである。
【０００８】また車両機械・乗物等は構造上多種であるが、それによって各所に取り付けることも可能である。
【符号の説明】
【０００９】１  夜光反射デザイン部
２  ワイパー
３  取付ワイパー
【図１】
0003188406.tif 000003
【図２】
0003188406.tif 000004
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
ワイパー２とワイパー２の外面に夜光反射デザイン部１を備えた夜光反射式安全ワイパーにおいて、夜光反射デザイン部１に、夜光反射性塗料のコーティング、反射シール、反射材のいずれかを用いてデザインした複合体の夜光反射式安全ワイパー。
(57)【要約】【課題】本考案は夜光反射の原理を利用し、夕暮れ時、夜間に視覚視認性を高め、車両等の存在を位置確認が素早く察知できる夜光反射式セーフティアンテナにおいて、交通の安全と利便性に優れた夜光反射式セーフティアンテナを提供するものである。【解決手段】取付アンテナ図１のアンテナ２の表面に夜光蛍光性の塗料をコーティング・反射シール・反射材等でデザインを配設した。【選択図】図１
0003188407.tif 000002
【実用新案登録請求の範囲】
【請求項１】
アンテナ２とアンテナ２の表面に夜光反射デザイン部１を備えた夜光反射式セーフティアンテナにおいて、夜光反射デザイン部１に配する夜光反射性の塗料をコーティング・反射シール・反射材のいずれかを用いてデザインした複合体の夜光反射式セーフティアンテナ。
【考案の詳細な説明】
【技術分野】
【０００１】本考案は、夜光反射式セーフティアンテナに関する。
【背景技術】
【０００２】従来の車両機械・乗物等への取付アンテナは、金属そのものかその素材の表面に単色でコーティングしたものが多様化してあった。
【考案の概要】
【考案が解決しようとする課題】
【０００３】しかしながら、従来の取付アンテナは、電波を発信・受信するだけのものであった。
【課題を解決するための手段】
【０００４】本考案は、従来の取付アンテナにおいて、形状はさまざまであるが、アンテナ２の本体の表面に夜光蛍光性の塗料をコーティング・反射シールをテーピング・反射材で形成した複合体のものである。またその部分に溝を入れることもできる。
【考案の効果】
【０００５】本考案に係る夜光反射式セーフティアンテナは、夕暮れ時夜間において、その車両等の存在位置確認が容易にできる。またデザインによって興味深く、美観を伴い楽しさも感じさせる。これによって走行中でも駐停車時においても、視覚視認性が高められ自車の存在が発信でき安全サインともなる。そして自車を探しあてるときにも目じるしとなり、利便性が期待できる。
【図面の簡単な説明】
【０００６】
【図１】本考案に係る夜光反射式セーフティアンテナの側面図である。
【図２】本考案に係る夜光反射式セーフティアンテナの取付位置図である。
【考案を実施するための形態】
【０００７】図１に示すように、従来の取付アンテナは多様であるが、アンテナ２の表面に夜光反射デザイン部１を設け、その構造をふまえ自由にデザインする。その際、基盤の材質よってコーティング・反射シール・反射材等を考慮し、調整、固着する。本考案は、以上のような構成と、これを装着することにより容易に目じるしとなり、利便性を高め、また、交通の安全対策に役立てようとするものである。
【０００８】また車両機械・乗物等は構造上多種であるが、それによって各所に取り付けることも可能である。
【符号の説明】
【０００９】１  夜光反射デザイン部
２  アンテナ
３  取付アンテナ
【図１】
0003188407.tif 000003
【図２】
0003188407.tif 000004
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
アンテナ２とアンテナ２の表面に夜光反射デザイン部１を備えた夜光反射式セーフティアンテナにおいて、夜光反射デザイン部１に、夜光反射性塗料のコーティング、反射シール、反射材のいずれかを用いてデザインした複合体の夜光反射式セーフティアンテナ。
(57)【要約】      （修正有）【課題】リュックサックにおいて、不便さ、苦痛、不快感を軽減するために、肩ベルトを上部と下部に分けたことを特徴とする背負い時負担軽減リュックを提供する。【解決手段】リュックサック１は、リュックサック１の肩部分が、肩の型に成形されており、引っ掛けの輪っか５（フック受け）の付いた上部ベルト４と、Ｕ字型の引っ掛け７（フック）のついた下部ベルト６と、上部ベルト４背負い時の巻き上げ式補助器具９からなるリュックサック１である。【選択図】図１
0003188409.tif 000002
【実用新案登録請求の範囲】
【請求項１】
リュック本体と、このリュック本体の裏側に設けられた左右一対の肩ベルトと、を備えたリュックサックであって、前記肩ベルトは、一端部がそれぞれリュック本体に固定された上側部及び下側部を有し、上側部及び下側部の他端部同士を、フックとフック受けとによって分離が可能なように接結する構成であり、少なくとも一方の肩ベルトの上側部にはかつぎ紐が接続されている、ことを特徴とするリュックサック
【請求項２】
かつぎ紐は繰り出し及び巻き上げ可能に構成されている、ことを特徴とする請求項１記載のリュックサック。
【請求項３】
かつぎ紐は、繰り出し状態を保持できるように構成されている、ことを特徴とする請求項２記載のリュックサック。
【考案の詳細な説明】
【技術分野】
【０００１】
本考案は、肩ベルトを引っ掛け式にした背負い時負担軽減リュックに関する。
【背景技術】
【０００２】
リュックは老若男女を問わず、日常で使用頻度の高いバックである。ハイキング、通勤通学など、日常生活の必需品となっている。従来のリュックは、両方の肩ベルトが輪になっている（特許文献１参照）。
【先行技術文献】
【特許文献】
【０００３】
【特許文献１】特開2012-45377号公報
【考案の概要】
【考案が解決しようとする課題】
【０００４】
そのため、リュックを背負ったり、降ろしたりする時は、腕を大きく後ろに回さなくてはならず、肩に負担がかかり、衣服もたくれて乱れやすい。したがって本案は、このような不便さ、苦痛、不快感を軽減するために、肩ベルトを上部と下部に分けた、背負い時負担軽減リュックを提案することを課題とする。
【課題を解決するための手段】
【０００５】
この問題を解決するための本案の背負い時負担軽減リュックは、具体的には、リュックの肩部分が肩の型に成形されており、引っ掛け受けの輪っか（フック受け）のついた上部ベルト上側部と、U字型の引っ掛けフックのついた下部ベルト下側部と、上部ベルト背負い時の巻き上げ式補助器具からなる。例えば、リュック本体と、このリュック本体の裏側に設けられた左右一対の肩ベルトと、を備えたリュックサックであって、前記肩ベルトは、一端部がそれぞれリュック本体に固定された上側部及び下側部を有し、上側部及び下側部の他端部同士を、フックとフック受けとによって分離が可能なように接結する構成であり、少なくとも一方の肩ベルトの上側部にはかつぎ紐が接続されているものである。かつぎ紐は繰り出し及び巻き上げ可能に構成されていることが好ましい。かつぎ紐は、繰り出し状態を保持できるように構成されていてもよい。
【考案の効果】
【０００６】
リュックの肩ベルトは、右きき、左ききどちらでも利用できるようになっているので、一つのリュックで、万人の利用が可能である。
【図面の簡単な説明】
【０００７】
【図１】背負い時負担軽減リュックを裏面からみた図。
【図２】背負い時負担軽減リュックの肩ベルトの分解図。
【図３】背負い時負担軽減リュックの巻き上げ補助具の分解図。
【図４】背負い時負担軽減リュックを装着途中の図。
【図５】背負い時負担軽減リュックを完全に装着した図。
【図６】背負い時負担軽減リュックを側面から見た図。
【考案を実施するための形態】
【０００８】
本考案は、リュック本体１に設けられる肩ベルト2の肩の部分を背負い壊れないように、上ベルト肩成形具3で成形してある。2つに分かれている肩ベルト2の上部ベルト4には、輪っか5（フック受け）がついており、下部ベルト6のフック7を掛け、この輪っか５にて上部ベルト４とを接続する。フック７は下部ベルト６の取り付け環状体８に取り付けられている。また、上部ベルト4を背負い易くするための巻き上げ式補助器具9が取り付けリング１０及び接続具１１を介してつけてあるので、これを引き出して背負い、背負い終わったら、巻き戻せば邪魔にならない。両方の肩ベルト2が同じ仕組みになっているので、右利き、左利きにも対応できる。巻き上げ式補助器具９からは、かつぎ紐１２が外側に延びていて、このかつぎ紐１２の先端には指掛けリング１３が設けられている。
【０００９】
どのリュックも背負う時、一方のベルトの輪に腕を通し、次の通す腕はかなり後方に回さないとならない。そのため、衣服の袖が上方に引っ張られ、不快な思いをする。しかし、背負い時負担軽減リュックはその問題を解決したものである。
【００１０】
背負い時負担軽減リュック１の両方のフック７をはずせばの体の不自由な高齢者の方に、楽に第三者が背負わせてあげることもできる。
【００１１】
背負い時負担軽減リュック１は、肩ベルト装着用に、引っ掛け式フックを使用しているので、握力の弱い高齢者や子供には、プッシュ式フックより扱いやすい。
【００１２】
使用方法は、巻き上げ式補助器具9を利き手側にセットし、指掛けリング１３に指をかけて引っ張り出しておく。巻き上げ式補助器具9は、引き出しが、自在なかつぎ紐12を有し、このかつぎ紐12は、引き出した位置に保持されるが、強く引っ張ると、巻き戻されるものである。利き手と反対のリュックの肩ベルト2を輪にして腕を通し、巻き上げ式補助器具9の先端にある輪っか１３をつかみ、リュック1の肩ベルト2をかつぐ。
【符号の説明】
【００１３】
１  背負い時負担軽減リュック本体
２  上部肩ベルト
３  上部肩ベルト肩形成具
５  引っ掛けの輪っか
５  下部ベルト
６  巻き上げ式補助器具の引っ掛け輪っか
７  上部肩ベルト
９  巻き上げ式補助器具
１０  巻き上げ式補助器具の引っ掛け輪っか
１１  巻き上げ式補助器具の引っ掛けフック
１２  かつぎ紐
１３  巻き上げ式補助器具の引っ張り輪っか
【図１】
0003188409.tif 000003
【図２】
0003188409.tif 000004
【図３】
0003188409.tif 000005
【図４】
0003188409.tif 000006
【図５】
0003188409.tif 000007
【図６】
0003188409.tif 000008
(57)【要約】      （修正有）【課題】コンパクトで収納場所に困らない一体型自転車カバーを提供する。【解決手段】自転車の前かごに取り付けることができる開口１６を有する収納袋２と、中央部に取り付け孔が形成され、この取り付け孔が取り付けられたカバー本体３とカバー本体を収納袋に収納した時に、収納袋の開口をふさぐことができる部材１２を備える。収納袋には、両端部にバネで外側に付勢された伸縮バー４ｂが設けられた取り付けスティック４が取り付けられ、２対の紐５で前かごに取り外し可能に装着される。【選択図】図２
0003188408.tif 000002
【実用新案登録請求の範囲】
【請求項１】
自転車の前かごに取り付けることのできる収納袋と、中央部に取り付け孔が形成され、この取り付け孔が収納袋の開口周りに取り付けられたカバー本体と、前記カバー本体を前記開口から前記収納袋に収納したときに、この収納袋の開口をふさぐことのできるふさぎ部材と、を備えたことを特徴とする自転車カバー。
【請求項２】
前記収納袋は、両端部にバネで付勢された伸縮バーが設けられた取り付けスティックを用いて、前かごに取り外し可能に取り付けられる、ことを特徴とする請求項１記載の自転車カバー。
【請求項３】
一端部が前かごに取り付けられ、他端部に接合部材が設けられた一対のベルト状の圧縮部材をさらに有し、接合部材で他端部同士が接合された圧縮部材によって、カバー本体が収納された収納袋を圧縮している、ことを特徴とする請求項１又は請求項２に記載の自転車カバー。
【考案の詳細な説明】
【技術分野】
【０００１】
本考案は、自転車カバーをコンパクトにし、前かごに取り付けた一体型自転車カバーに関する。
【背景技術】
【０００２】
自転車は、老若男女を問わず、スポーツや日常生活の足として、欠くことのできない乗り物である。一方、自転車の手入れや取り扱いには注意が払われず、従来の単独自転車カバー（例えば特許文献１に記載）は、収納場所に困ったり、いざカバーを掛けようと思っても、手元にないので、自転車カバーはされていないのが現状である。
【先行技術文献】
【特許文献】
【０００３】
【特許文献１】実用新案登録番号第３１８３７０９号
【考案の開示】
【考案が解決しようとする課題】
【０００４】
そのため、雨の日に自転車がカバーもされず、雨ざらしになっており、自転車はさびによる腐食が進み、ブレーキの故障などで事故も起きることもある。したがって本案は、このような不便さや危険を軽減する一体型自転車カバーを提案することを課題とする。
【課題を解決するための手段】
【０００５】
この問題を解決するための本案の一体型自転車カバーは、前かごに伸縮棒のついた自転車カバー収納袋を取り付け、自転車カバーを収納する。例えば自転車の前かごに取り付けることのできる収納袋と、中央部に取り付け孔が形成され、この取り付け孔が収納袋の開口周りに取り付けられたカバー本体と、前記カバー本体を前記開口から前記収納袋に収納したときに、この収納袋の開口をふさぐことのできるふさぎ部材と、を備えたものである。また、よりコンパクトにするために、一方のシート側面状ファスナー（例えばおすの面ファスナー）のついたベルトと、他方のシート側面状ファスナー（例えばめすの面ファスナー）のついたベルトで四方から圧縮する。本案では、収納袋は両端部にバネで付勢された伸縮バーが設けられた取り付けスティックを用いて、前かごに取り外し可能に取り付けられるようにも構成できる。また、収納袋には、一端部が前かごに取り付けられ、他端部に接合部材が設けられた一対のベルト状の圧縮部材が設けられていて、接合部材で他端部同士が接合された圧縮部材によって、カバー本体が収納された収納袋を圧縮しているようにも構成できる。
【考案の効果】
【０００６】
カバーを常にかさばらないように備え付けておくことができる一体型自転車カバーは、例えば伸縮棒により、長さを調節できるので、どんな自転車の前かごにも取り付けられる。
【図面の簡単な説明】
【０００７】
【図１】一体型自転車カバーを収納袋に収納し、正面からみた図。
【図２】一体型自転車カバーを分解した図。
【図３】一体型自転車カバーの圧縮ベルトを分解した図。
【図４】一体型自転車カバーを自転車にカバーを収納して装着した図。
【図５】一体型自転車カバーを実際に広げて自転車にカバーを掛けた図。
【図６】一体型自転車カバーの前かご用カバーのみを使用した図。
【考案を実施するための形態】
【０００８】
本考案は、棒の本体４aの両端にバネ（図示せず）で、外側に付勢された伸縮部材４ｂが設けられている。伸縮棒４が取り付けられた自転車カバー収納袋２と自転車カバー本体３が一体化しており、自転車カバー収納袋２の両端に取り付けてある、二対の紐５で、前かご１０に装着するものである。自転車カバー本体３の収納された収納袋２は、前かご１０の４隅の取り付け輪っか１４を介しかぎフックで装着された、一対（1方はおす７、他方はめす８）の面ファスナー９の付いた巾広紐１１で圧縮することにより、さらにコンパクトになる。
【０００９】
一体型自転車カバー１は、どの自転車にも取り付け可能で、自転車カバーの紛失を防止し、気軽にいつでも使用できる便利さがある。また、一体型自転車カバー１使用時も、収納袋２の口に面ファスナー１２が取り付けられており、雨が入らないように封できる、かつ、収納袋２の開口１６の周りにカバー本体３の取り付け孔１７が取り付けられている。
【００１０】
一体型自転車カバー１は、前かご１０の収納袋２に収納された自転車カバーは圧縮できるので、邪魔にならない。
【００１１】
一体型自転車カバー１には、収納袋２の外側に、前かご専用のカバー１３がついているので、咄嗟の時の雨よけや防犯にも役立つ。
【符号の説明】
【００１２】
１  一体型自転車カバー
２  収納袋
３  本体カバー
４  自転車のかごに取り付ける伸縮棒
５  自転車のかごに取り付ける紐
６  かぎフック
７  圧縮ベルトの面ファスナー（おす）
８  圧縮ベルトの面ファスナー（めす）
９  面ファスナー
１０  前かご
１１  面ファスナーのついた巾広紐
１２  防雨用面ファスナー
１３  前かごカバー
１４  前かごの取り付け輪っか
１５  圧縮ベルト
１６  収納袋の開口
１７  取り付け孔
【図１】
0003188408.tif 000003
【図２】
0003188408.tif 000004
【図３】
0003188408.tif 000005
【図４】
0003188408.tif 000006
【図５】
0003188408.tif 000007
【図６】
0003188408.tif 000008